(57)【要約】  【課題】  光ディスクのゾーン毎に異なる線速にする線速整定中にどのようにして記録品質を測定し且つ次のゾーンに対する記録パワーを設定するかの具体的な光ディスク装置における記録パワー制御方法を提供する。  【解決手段】  ゾーン切替のとき、光ディスクに対向するヘッドによる記録を中断し、ヘッドを記録済部分内の所定の戻り地点にシークし、戻り地点でヘッドを次のゾーンに向かって移動させるとともに、光ディスクを回転させるモータを次のゾーンでの線速に切換えて加速し、加速中に記録済部分を再生して記録品質を測定し、測定した記録品質から次のゾーンに対する記録パワーを設定し、モータが次のゾーンの線速に到達し、且つヘッドが次のゾーンに到達した時点で光ディスクへの記録を再開することを特徴とする。【選択図】  図２
2005092976.tif 000002
【特許請求の範囲】
【請求項１】
外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、該ヘッドを記録済部分内の所定の戻り地点にシークし、該戻り地点で前記ヘッドを次のゾーンに向かって移動させるとともに、前記光ディスクを回転させるモータを次のゾーンでの線速に切換えて加速し、加速中に記録済部分を再生して記録品質を測定し、測定した前記記録品質から次のゾーンに対する記録パワーを設定し、前記モータが次のゾーンの線速に到達し、且つ前記ヘッドが次のゾーンに到達した時点で前記光ディスクへの記録を再開することを特徴とする光ディスク装置における記録パワー制御方法。
【請求項２】
外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、該ヘッドを記録済部分内の所定の戻り地点にシークし、該戻り地点で前記ヘッドを次のゾーンに向かって移動させるとともに、記録済部分を再生して記録品質を測定し、測定した前記記録品質から次のゾーンに対する記録パワーを設定し、前記光ディスクを回転させるモータを次のゾーンでの線速に切換えて加速し、前記モータが次のゾーンの線速に到達し、且つ前記ヘッドが次のゾーンに到達した時点で前記光ディスクへの記録を再開することを特徴とする光ディスク装置における記録パワー制御方法。
【請求項３】
外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、前記光ディスクを回転させるモータを次のゾーンでの線速に切換えて加速し、前記モータが次のゾーンの線速に到達したとき、該ヘッドを記録済部分内の所定の戻り地点にシークし、該戻り地点で前記ヘッドを次のゾーンに向かって移動させるとともに、記録済部分を再生して記録品質を測定し、測定した前記記録品質から次のゾーンに対する記録パワーを設定し、且つ次のゾーンに到達した時点で前記光ディスクへの記録を再開することを特徴とする光ディスク装置における記録パワー制御方法。
【請求項４】
外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、該ヘッドを記録済部分内の所定の戻り地点にシークする際、該戻り地点を、前記光ディスクを回転させるモータを次のゾーンでの線速に切換えて加速し前記次のゾーンの線速に到達する地点までの区間より多く且つ近傍の地点に設定することを特徴とする光ディスク装置における記録パワー制御方法。
【請求項５】
外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、該ヘッドを記録済部分内の所定の戻り地点にシークし、該戻り地点で前記ヘッドを次のゾーンに向かって移動させるとともに、記録済部分を再生して記録品質を測定し、測定した前記記録品質から次のゾーンに対する記録パワーを設定する際、現ゾーンでの記録パワーを、目標の記録品質に対する目標とした記録パワーになるよう、現ゾーンでの記録パワーに誤差補正値を加算して、現ゾーンでの記録パワーを目標とする記録パワーに修正してから、ゾーン切替のときのパワー増加係数を乗算することで、次ゾーンの記録パワーを求めることを特徴とする光ディスク装置における記録パワー制御方法。
【請求項６】
請求項５記載において、前記誤差補正値は、初期のＯＰＳ（Optimum Power Control）での線形近似値から求めておくことを特徴とする光ディスク装置における記録パワー制御方法。
【請求項７】
請求項５記載において、前記誤差補正値は、予め光ディスク毎の記録品質／記録パワーのテーブルを持ち、該テーブルを用いることを特徴とする光ディスク装置における記録パワー制御方法。
【発明の詳細な説明】
【技術分野】
【０００１】
本発明は、外周ゾーンにいくほど高い線速にするＺＣＬＶ（Zoned Constant Linear Velocity）によってデータを記録する光ディスク装置における記録パワー制御方法に関する。
【背景技術】
【０００２】
光ディスクのＺＣＬＶ（Zoned Constant Linear Velocity）では、試し書きを行う内周領域の線速度と異なる線速度における記録レーザパワー設定が必要であり、ゾーン切替のとき、試し書き結果に基づく最適記録レーザパワーに所定の演算を施して、異なる線速における記録レーザパワー設定を行っていた。しかし、ＣＤ−ＲディスクからＤＶＤ−Ｒディスク等へと高密度記録の進展、ＺＣＬＶの高速化等によって、演算処理だけで最適な記録レーザパワーを得ることが次第に困難となっている。
【０００３】
このような記録レーザパワー設定の補正方法として、ゾーン切替のときに、直前ゾーン最後の記録済部を再生し、再生信号から公知の評価尺度値アシンメトリ(β)を測定し、測定したアシンメトリ(β)と目標としたアシンメトリ(β)との比較結果から、目標としたアシンメトリ(β)に所定の係数Ｋを乗算してから次の新規ゾーンの初期設定パワーに加算することにより、次の新規ゾーンに対する記録パワーの補正を行う技術が知られている（特許文献１参照）。
【０００４】
【特許文献１】特開２００３−８５７６０号公報
【発明の開示】
【発明が解決しようとする課題】
【０００５】
ＺＣＬＶ（Zoned Constant Linear Velocity）では外周ゾーンにいくほど高い線速にする必要がある。したがって記録ゾーンを切替えて次のゾーンでデータを記録する際には次のゾーンの線速にする必要がある。
【０００６】
しかしながら、上記で知られている補正方法では、次のゾーンの線速に対する考慮がなされておらず、したがって、光ディスクのゾーン毎に異なる線速にする線速整定中にどのようにして記録品質を測定し次のゾーンに対する記録パワーを設定するかについては何ら開示されていない。
【０００７】
また、上記で知られている補正方法では、ゾーン切替のときに、直前ゾーンの最後記録済部を再生すると記載しているだけで、直前ゾーンの戻り地点に対する考慮がなく、したがって有効な戻り地点について何ら開示されていない。
【０００８】
さらに、上記で知られている補正方法では、新規ゾーンに対する記録パワーの補正として、目標としたアシンメトリ(β)に所定の係数Ｋを乗算してから、次の新規ゾーンの初期設定パワーに加算しているので、現ゾーンでの記録パワーに誤差があった場合その誤差が修正されることなく新規ゾーンに対する記録パワーが補正され、最適な補正がなされていない。
【０００９】
本発明の目的は、光ディスクのゾーン毎に異なる線速にする線速整定中にどのようにして記録品質を測定し且つ次のゾーンに対する記録パワーを設定するかの具体的な光ディスク装置における記録パワー制御方法を提供することにある。
【００１０】
本発明の他の目的は、光ディスクのゾーン毎に異なる線速にするためのゾーン切替のときの記録中断時間を短縮することができる光ディスク装置における記録パワー制御方法を提供することにある。
【００１１】
本発明のさらに他の目的は、光ディスクのゾーン毎に異なる線速にするためのゾーン切替のときの記録中断時間をより短縮することができる光ディスク装置における記録パワー制御方法を提供することにある。
【００１２】
本発明の別の目的は、各ゾーンに対する記録パワーの補正を最適にすることができる光ディスク装置における記録パワー制御方法を提供することにある。
【課題を解決するための手段】
【００１３】
本発明による請求項１記載の光ディスク装置における記録パワー制御方法は、外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、該ヘッドを記録済部分内の所定の戻り地点にシークし、該戻り地点で前記ヘッドを次のゾーンに向かって移動させるとともに、前記光ディスクを回転させるモータを次のゾーンでの線速に切換えて加速し、加速中に記録済部分を再生して記録品質を測定し、測定した前記記録品質から次のゾーンに対する記録パワーを設定し、前記モータが次のゾーンの線速に到達し、且つ前記ヘッドが次のゾーンに到達した時点で前記光ディスクへの記録を再開することを特徴とする。
【００１４】
本発明による請求項２記載の光ディスク装置における記録パワー制御方法は、外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、該ヘッドを記録済部分内の所定の戻り地点にシークし、該戻り地点で前記ヘッドを次のゾーンに向かって移動させるとともに、記録済部分を再生して記録品質を測定し、測定した前記記録品質から次のゾーンに対する記録パワーを設定し、前記光ディスクを回転させるモータを次のゾーンでの線速に切換えて加速し、前記モータが次のゾーンの線速に到達し、且つ前記ヘッドが次のゾーンに到達した時点で前記光ディスクへの記録を再開することを特徴とする。
【００１５】
本発明による請求項３記載の光ディスク装置における記録パワー制御方法は、外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、前記光ディスクを回転させるモータを次のゾーンでの線速に切換えて加速し、前記モータが次のゾーンの線速に到達したとき、該ヘッドを記録済部分内の所定の戻り地点にシークし、該戻り地点で前記ヘッドを次のゾーンに向かって移動させるとともに、記録済部分を再生して記録品質を測定し、測定した前記記録品質から次のゾーンに対する記録パワーを設定し、且つ次のゾーンに到達した時点で前記光ディスクへの記録を再開することを特徴とする。
【００１６】
本発明による請求項４記載の光ディスク装置における記録パワー制御方法は、外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、該ヘッドを記録済部分内の所定の戻り地点にシークする際、該戻り地点を、前記光ディスクを回転させるモータを次のゾーンでの線速に切換えて加速し前記次のゾーンの線速に到達する地点までの区間より多く且つ近傍の地点に設定することを特徴とする。
【００１７】
本発明による請求項５記載の光ディスク装置における記録パワー制御方法は、外周ゾーンにいくほど高い線速にするＺＣＬＶ（Zoned Constant Linear Velocity）によってデータを記録する光ディスク装置において、ゾーン切替のとき、光ディスクに対向するヘッドによる記録を中断し、該ヘッドを記録済部分内の所定の戻り地点にシークし、該戻り地点で前記ヘッドを次のゾーンに向かって移動させるとともに、記録済部分を再生して記録品質を測定し、測定した前記記録品質から次のゾーンに対する記録パワーを設定する際、現ゾーンでの記録パワーを、目標の記録品質に対する目標とした記録パワーになるよう、現ゾーンでの記録パワーに誤差補正値を加算して、現ゾーンでの記録パワーを目標とする記録パワーに修正してから、ゾーン切替のときのパワー増加係数を乗算することで、次ゾーンの記録パワーを求めることを特徴とする。
【発明の効果】
【００１８】
本発明によれば、光ディスクのゾーン毎に異なる線速にする線速整定中にどのようにして記録品質を測定し且つ次のゾーンに対する記録パワーを設定するかの具体的な光ディスク装置における記録パワー制御方法を得ることができる。また本発明によれば、光ディスクのゾーン毎に異なる線速にするためのゾーン切替のときの記録中断時間を短縮することができる光ディスク装置における記録パワー制御方法を得ることができる。また本発明によれば、光ディスクのゾーン毎に異なる線速にするためのゾーン切替のときの記録中断時間をより短縮することができる光ディスク装置における記録パワー制御方法を得ることができる。また本発明によれば、各ゾーンに対する記録パワーの補正を最適にすることができる光ディスク装置における記録パワー制御方法を得ることができる。
【発明を実施するための最良の形態】
【００１９】
本発明に係る実施の形態について、以下、図を用いて説明する。
【００２０】
図１は、本発明による記録パワー制御方法を備えた光ディスク装置の実施の形態を示す構成図である。
【００２１】
図１において、１０１は光ディスク、１０２はスピンドルモータである。光ディスク１０１はスピンドルモータ１０２により外周ゾーンにいくほど高い線速のＺＣＬＶ（Zoned Constant Linear Velocity）で回転される。
【００２２】
図１において、１０３はヘッド、１０４はＬＤドライバである。ヘッド１０３は半導体レーザ（ＬＤ：Laser Diode）を搭載しており、光ディスク１０１に予め記録されているアドレスを読み取りながら光ディスク１０１の内周から外周に向かって移動する。また半導体レーザはＬＤドライバ１０４によって所定の記録パワー（Ｐｗ）が書き込みデータ（ｗｄａｔａ）で変調されることにより、光ディスク１０１にデータを記録する。
【００２３】
図１において、１０５は記録品質評価部、１０６は記録パワー制御部である。記録品質評価部１０５は、ヘッド１０３で再生したデータから公知の評価尺度値アシンメトリ(β)を測定して記録パワー制御部１０６に送る。記録パワー制御部１０６では測定したアシンメトリ(β)から次の新規ゾーンに対する記録パワーを設定する。
【００２４】
図１において、１０７はゾーン切替制御部、１０８はＣＰＵである。ＣＰＵ１０８は、ヘッド１０３で読み取ったアドレスが所定の番号となったとき、ゾーン切替制御部１０７に通知し、ゾーン切替制御部１０７はスピンドルモータ１０２と記録品質評価部１０５と記録パワー制御部１０６を制御する。
【００２５】
次に、本実施の形態において、光ディスクのゾーン毎に異なる線速にする線速整定中にどのようにして記録品質を測定し且つ次のゾーンに対する記録パワーを設定するかの具体的な光ディスク装置における記録パワー制御方法について説明する。
【００２６】
図２は、光ディスク装置における記録パワー制御方法の具体的な第一の例を示すフロー図である。図３は、光ディスク装置における記録パワー制御方法の具体的な第二の例を示すフロー図である。図４は、光ディスク装置における記録パワー制御方法の具体的な第三の例を示すフロー図である。
【００２７】
この図２、図３、図４のフローを説明するために、図５から図７を用いる。図５は、光ディスクのゾーン構成を示す図である。図６は、光ディスクのゾーン切替時から次のゾーンまでのヘッドの動きを示す図５の部分拡大図である。図７は、スピンドルモータをゾーン切替のために加速した際の線速の変化を示す図である。
【００２８】
次に、図２、図３、図４に示す、光ディスク装置における記録パワー制御方法の具体的な第一、第二、第三の例を示すフロー図を説明する。
【００２９】
図２は、具体的な第一の例を示すフローである。図２においては、まずステップＳ２０１にて、記録中、ヘッド１０３で読み取ったアドレスが所定の番号となったときにゾーンの切替が発生する。図６においてはゾーン０を記録中のＢ地点でゾーン切替が発生する。次にステップＳ２０２にて、ＣＰＵ１０８はヘッド１０３で読み取ったアドレスが所定の番号となったことを認識し、ヘッド１０３による記録の中断をヘッド１０３に指令して、記録を中断させる。
【００３０】
次にステップＳ２０３にて、ＣＰＵ１０８がヘッド１０３に指令して、ヘッド１０３を記録済領域内の所定の戻り地点にシーク（Ｓｅｅｋ）させる。図６においてはＡ地点までヘッド１０３を戻す。
【００３１】
次にステップＳ２０４にて、ＣＰＵ１０８がヘッド１０３に指令して、ヘッド１０３を次のゾーンに向かって移動させるとともに、ＣＰＵ１０８がゾーン切替制御部１０７に指令し、ゾーン切替制御部１０７が次のゾーンでの線速になるようスピンドルモータ１０２を切替える。図６においてはＡ地点で次のゾーン１の線速にスピンドルモータ１０２を切替える。したがって、スピンドルモータ１０２は図７の特性にしたがって加速される。
【００３２】
スピンドルモータ１０２が加速中、次のステップＳ２０５にて、記録品質評価部１０５はヘッド１０３で再生したデータから公知の評価尺度値アシンメトリ(β)を測定して記録パワー制御部１０６に送る。
【００３３】
次のステップＳ２０６にて、記録パワー制御部１０６は、測定したアシンメトリ(β)から次の新規ゾーンに対する記録パワーを設定する。
【００３４】
次のステップＳ２０７にて、スピンドルモータ１０２が次の所定の線速に到達する。図６においては加速してから図７の時間Ｔｓ経過した図６のＣ地点で、次のゾーンの所定の線速Ｖｚ１に到達する。ここでＣ地点はゾーン切替のＢ時点の手前でかつ近傍となるよう予め設定する。
【００３５】
そして次のステップＳ２０８にて、ヘッド１０２が図７のＢ時点に到達した時点で、ＣＰＵ１０８はヘッド１０３に記録の再開を指令し、ヘッド１０３は光ディスク１０１への記録を再開する。
【００３６】
図３は、具体的な第二の例を示すフローである。図３においては、まずステップＳ３０１にて、記録中、ヘッド１０３で読み取ったアドレスが所定の番号となったときにゾーンの切替が発生する。図６においてはゾーン０を記録中のＢ地点でゾーン切替が発生する。次にステップＳ３０２にて、ＣＰＵ１０８はヘッド１０３で読み取ったアドレスが所定の番号となったことを認識し、ヘッド１０３による記録の中断をヘッド１０３に指令して、記録を中断させる。
【００３７】
次にステップＳ３０３にて、ＣＰＵ１０８がヘッド１０３に指令して、ヘッド１０３を記録済領域内の所定の戻り地点にシーク（Ｓｅｅｋ）させる。図６においてはＡ地点までヘッド１０３を戻す。
【００３８】
次にステップＳ３０４にて、ＣＰＵ１０８がヘッド１０３に指令して、ヘッド１０３を次のゾーンに向かって移動させるとともに、記録品質評価部１０５はヘッド１０３で再生したデータから公知の評価尺度値アシンメトリ(β)を測定して記録パワー制御部１０６に送る。
【００３９】
次のステップＳ３０５にて、記録パワー制御部１０６は、測定したアシンメトリ(β)から次の新規ゾーンに対する記録パワーを設定する。
【００４０】
次のステップＳ３０６にて、ＣＰＵ１０８がゾーン切替制御部１０７に指令して、ゾーン切替制御部１０７が次のゾーンでの線速になるようスピンドルモータ１０２を切替える。図６においてはＡ地点で次のゾーン１の線速にスピンドルモータ１０２を切替える。したがって、スピンドルモータ１０２は図７の特性にしたがって加速される。
【００４１】
次のステップＳ３０７にて、スピンドルモータ１０２が次の所定の線速に到達する。図６においては加速してから図７の時間Ｔｓ経過した図６のＣ地点で、次のゾーンの所定の線速Ｖｚ１に到達する。
【００４２】
そして次のステップＳ３０８にて、ヘッド１０２が図７のＢ時点に到達した時点で、ＣＰＵ１０８はヘッド１０３に記録の再開を指令し、ヘッド１０３は光ディスク１０１への記録を再開する。
【００４３】
図４は、具体的な第三の例を示すフローである。図４においては、まずステップＳ４０１にて、記録中、ヘッド１０３で読み取ったアドレスが所定の番号となったときにゾーンの切替が発生する。図６においてはゾーン０を記録中のＢ地点でゾーン切替が発生する。次にステップＳ４０２にて、ＣＰＵ１０８はヘッド１０３で読み取ったアドレスが所定の番号となったことを認識し、ヘッド１０３による記録の中断をヘッド１０３に指令して、記録を中断させる。
【００４４】
次にステップＳ４０３にて、ＣＰＵ１０８がゾーン切替制御部１０７に指令して、ゾーン切替制御部１０７が次のゾーンでの線速になるようスピンドルモータ１０２を切替える。図６においてはＡ地点で次のゾーン１の線速にスピンドルモータ１０２を切替える。したがって、スピンドルモータ１０２は図７の特性にしたがって加速される。
【００４５】
次のステップＳ４０４にて、スピンドルモータ１０２が次の所定の線速Ｖｚ１に到達する。
【００４６】
次にステップＳ４０５にて、ＣＰＵ１０８がヘッド１０３に指令して、ヘッド１０３を記録済領域内の所定の戻り地点にシーク（Ｓｅｅｋ）させる。図６においてはＡ地点までヘッド１０３を戻す。
【００４７】
次にステップＳ４０６にて、ＣＰＵ１０８がヘッド１０３に指令して、ヘッド１０３を次のゾーンに向かって移動させるとともに、ＣＰＵ１０８がゾーン切替制御部１０７に指令して、記録品質評価部１０５はヘッド１０３で再生したデータから公知の評価尺度値アシンメトリ(β)を測定して記録パワー制御部１０６に送る。
【００４８】
次のステップＳ４０７にて、記録パワー制御部１０６は、測定したアシンメトリ(β)から次の新規ゾーンに対する記録パワーを設定する。
【００４９】
そして次のステップＳ４０８にて、ヘッド１０２が図７のＢ時点に到達した時点で、ＣＰＵ１０８はヘッド１０３に記録の再開を指令し、ヘッド１０３は光ディスク１０１への記録を再開する。
【００５０】
以上、光ディスク装置における記録パワー制御方法の具体的な第一、第二、第三の例を説明した。
【００５１】
この具体的な第一、第二、第三の例の中で、特に第一の例は、ステップＳ２０４、２０５で示したように、次のゾーンでの線速になるようスピンドルモータ１０２を加速する加速中に、ヘッド１０３で再生したデータから公知の評価尺度値アシンメトリ(β)を測定するため、次のゾーンでの線速になるようスピンドルモータ１０２を加速する加速時間を別に必要としないですむので、ゾーン切替のときの記録中断時間を短縮することができる。
【００５２】
また本実施の形態では、ゾーン切替のとき、光ディスクに対向するヘッド１０３による記録を中断し、ヘッド１０３を記録済部分内の所定の戻りＡ地点にシークする際、戻りＡ地点を、光ディスク１０１を回転させるモータ１０２を次のゾーンでの線速に切換えて加速し次のゾーンの線速に到達する地点までの区間Ａ−Ｃより多く且つ近傍の地点に設定したので、光ディスクのゾーン毎に異なる線速にするためのゾーン切替のときの記録中断時間をより短縮することができる。
【００５３】
次に、記録品質評価部１０５がヘッド１０３で再生したデータから公知の評価尺度値アシンメトリ(β)を測定した後に、記録パワー制御部１０６が、測定したアシンメトリ(β)から次の新規ゾーンに対する記録パワーを設定する設定方法について、本実施の形態を説明する。
【００５４】
図８はアシンメトリ(β)と記録パワーの関係を示す図である。図８において、測定したアシンメトリ(β)が目標としたアシンメトリ(β)との間に誤差があった場合、本実施の形態は、現ゾーンでの記録パワーＰｗ０を、目標アシンメトリ(β)に対する目標とした記録パワーになるよう、現ゾーンでの記録パワーＰｗ０に誤差補正値ΔＰｗを加算して、現ゾーンでの記録パワーＰｗ０を目標とする記録パワーに修正してから、ゾーン切替のときのパワー増加係数を乗算することで、次ゾーンの記録パワーＰｗ１を求める。
【００５５】
すなわち、次ゾーンの記録パワーＰｗ１は、次の式１で求める。
【００５６】
【数１】
2005092976.tif 000003
【００５７】
ここで、上記誤差補正値ΔＰｗは、初期のＯＰＣ（Optimum Power Control）での線形近似値から求めておいてもよいし、予め光ディスク毎のアシンメトリ(β)／記録パワーのテーブルを持ち、該テーブルを用いるようにしても良い。
【００５８】
このように本実施の形態によれば、現ゾーンでの記録パワーＰｗ０を、目標とする記録パワーに修正してから、次のゾーンに対する記録パワーを求めるので、各ゾーンに対する記録パワーの補正を最適にすることができる。
【図面の簡単な説明】
【００５９】
【図１】本発明による記録パワー制御方法を備えた光ディスク装置の実施の形態を示す構成図である。
【図２】光ディスク装置における記録パワー制御方法の具体的な第一の例を示すフロー図である。
【図３】光ディスク装置における記録パワー制御方法の具体的な第二の例を示すフロー図である。
【図４】光ディスク装置における記録パワー制御方法の具体的な第三の例を示すフロー図である。
【図５】光ディスクのゾーン構成を示す図である。
【図６】光ディスクのゾーン切替時から次のゾーンまでのヘッドの動きを示す図５の部分拡大図である。
【図７】スピンドルモータをゾーン切替のために加速した際の線速の変化を示す図である。
【図８】アシンメトリ(β)と記録パワーとの関係を示す図である。
【符号の説明】
【００６０】
１０１：光ディスク、１０２：スピンドルモータ、１０３：ヘッド、１０４：ＬＤドライバ、１０５：記録品質評価部、１０６：記録パワー制御部、１０７：ゾーン切替制御部、１０８：ＣＰＵ。
【図１】
2005092976.tif 000004
【図２】
2005092976.tif 000005
【図３】
2005092976.tif 000006
【図４】
2005092976.tif 000007
【図５】
2005092976.tif 000008
【図６】
2005092976.tif 000009
【図７】
2005092976.tif 000010
【図８】
2005092976.tif 000011